(57)【要約】【課題】  シール材の耐久性と防水性の信頼性を長期に亘って確保できるようにする。【解決手段】  平面下地面と、その平面下地面から立ち上がる立上下地面４とに亘って防水シート２Ｂで覆い、その防水シートの上端部８をその外面側から挟み込んで立上下地面側に固定する固定具９と、上端部と立上下地面との間を一連にシールするシール材１０とを設けてある防水シート設置構造であって、シール材の暴露面１１を一連に被覆可能な非透光性を備えたカバー部材１２と、そのカバー部材を固定具に取付け可能な取付け部１３とを設け、取付け部を介して固定具に取付けたカバー部材で、シール材の暴露面を一連に被覆してある。【選択図】        図２
2005061116.tif 000002
【特許請求の範囲】
【請求項１】
平面下地面と、その平面下地面から立ち上がる立上下地面とに亘って防水シートで覆い、その防水シートの上端部をその外面側から挟み込んで前記立上下地面側に固定する固定具と、前記上端部と前記立上下地面との間を一連にシールするシール材とを設けてある防水シート設置構造であって、
前記シール材の暴露面を一連に被覆可能な非透光性を備えたカバー部材と、そのカバー部材を前記固定具に取付け可能な取付け部とを設け、
前記取付け部を介して前記固定具に取付けた前記カバー部材で、前記シール材の暴露面を一連に被覆してある防水シート設置構造。
【請求項２】
前記取付け部を、前記カバー部材を前記固定具に向けて一方向から押し付る押し付け操作で、前記カバー部材と前記固定具とを外れ止め状態で嵌合可能な嵌合部を設けて構成してある請求項１記載の防水シート設置構造。
【請求項３】
前記カバー部材を、前記シール材の上方側で前記立上下地面側に対して一連に接当するように、前記固定具に取付けてある請求項１又は２記載の防水シート設置構造。
【発明の詳細な説明】
【技術分野】
【０００１】
本発明は、例えば、建物屋上やバルコニー，屋外廊下などの防水シート設置構造に関し、詳しくは、平面下地面と、その平面下地面から立ち上がる立上下地面とに亘って防水シートで覆い、その防水シートの上端部をその外面側から挟み込んで前記立上下地面側に固定する固定具と、前記上端部と前記立上下地面との間を一連にシールするシール材とを設けてある防水シート設置構造に関する。
【背景技術】
【０００２】
上記防水シート設置構造は、平面下地面と立上下地面とに亘って防水シートで覆って、その防水シートの上端部を立上下地面側に固定してあるので、例えば、立上下地面を形成している躯体の上端面を防水シートで包み込むように覆ってある防水シート設置構造に比べて、施工範囲（面積) を狭くすることができる上、平面下地面側からの作業で容易に施工できる利点があるが、防水シートの上端部と立上下地面との間から雨水や結露水などが侵入し易いために、上端部と立上下地面との間を一連にシールするシール材には、長期に亘る耐久性（耐候性) が要求されている。
従来の上記防水シート設置構造では、防水シートの上端面を覆うシール材を立上下地面側と固定具側とに亘って充填して、防水シートの上端部と立上下地面との間への雨水や結露水などの侵入を防止しているが、そのシール材を外部に暴露させた状態で設けている（例えば、特許文献１参照) 。
【０００３】
【特許文献１】特開平９−１５１５７４号公報（図６，図７)
【発明の開示】
【発明が解決しようとする課題】
【０００４】
このため、シール材が風雨や紫外線の影響で早期に劣化し易く、シール材の耐久性を長期に亘って確保しにくい欠点がある。
本発明は上記実情に鑑みてなされたものであって、シール材の耐久性を長期に亘って確保できると同時に、防水シート上端部に雨水が達しにくくなるようにすることを目的とする。
【課題を解決するための手段】
【０００５】
本発明の第１特徴構成は、平面下地面と、その平面下地面から立ち上がる立上下地面とに亘って防水シートで覆い、その防水シートの上端部をその外面側から挟み込んで前記立上下地面側に固定する固定具と、前記上端部と前記立上下地面との間を一連にシールするシール材とを設けてある防水シート設置構造であって、前記シール材の暴露面を一連に被覆可能な非透光性を備えたカバー部材と、そのカバー部材を前記固定具に取付け可能な取付け部とを設け、前記取付け部を介して前記固定具に取付けた前記カバー部材で、前記シール材の暴露面を一連に被覆してある点にある。
【０００６】
〔作用及び効果〕
シール材の暴露面を非透光性を備えたカバー部材で一連に被覆してあるので、シール材が紫外線や雨水の影響で早期に劣化するおそれが少なくなり、シール材の耐久性を長期に亘って確保できる。
その上、カバー部材を立上下地面側に直接取付るのではなく、防水シートの上端部をその外面側から挟み込んで立上下地面側に固定する固定具を利用して、カバー部材を固定具に取付け可能な取付け部を設け、その取付け部を介して固定具に取付けたカバー部材で、シール材の暴露面を一連に被覆してあるので、立上下地面側にカバー部材取付け用の取付け具を固定するなどの作業が不要で、施工の簡略化を図ることができる。
【０００７】
本発明の第２特徴構成は、前記取付け部を、前記カバー部材を前記固定具に向けて一方向から押し付る押し付け操作で、前記カバー部材と前記固定具とを外れ止め状態で嵌合可能な嵌合部を設けて構成してある点にある。
【０００８】
〔作用及び効果〕
カバー部材を固定具に向けて一方向から押し付る押し付け操作で、カバー部材と固定具とを外れ止め状態で嵌合して、カバー部材を固定具に取付けることができるので、取付け用の工具を特に使用することなく、簡便にカバー部材を固定具に取付けることができる。  また、防水シートの上端部を固定具で立上下地面側に固定してから、カバー部材を固定具に取付けることもできるので、従来と同様の手順でシール材を容易に設けることができる。
【０００９】
本発明の第３特徴構成は、前記カバー部材を、前記シール材の上方側で前記立上下地面側に対して一連に接当するように、前記固定具に取付けてある点にある。
【００１０】
〔作用及び効果〕
強風を伴う降雨の場合でも、カバー部材の内側への雨水の侵入を確実に防止することができ、防水性能の信頼性と耐久性を一層確保し易い。
【発明を実施するための最良の形態】
【００１１】
以下に本発明の実施の形態を図面に基づいて説明する。
〔第１実施形態〕
図１，図２は、本発明による防水シート設置構造を設けてある建物屋上部分を示し、スラブ本体（平面下地に相当) １Ａと、そのスラブ本体１Ａから交差状態に立設配置してあるパラペット（立上下地に相当) １Ｂとを備えた下地躯体１の表面に沿って防水層２を設けてある。
【００１２】
前記下地躯体１は、現場打設コンクリートや複数のセメント系成形パネルを隣接状態に設置して形成してあり、スラブ本体１Ａとパラペット１Ｂとの接合隅部に、スラブ本体１Ａとパラペット１Ｂとに亘る防水シート取付用の下地金具３を固定して、この下地金具３に防水層２を接着固定してある。
【００１３】
前記パラペット１Ｂは、立上下地面４の上部で平面下地面５の上方に張り出す張出部６を延設してあり、この張出部６の下面側に水切り溝７を一連に形成してある。
【００１４】
前記防水層２は、スラブ本体１Ａの平面下地面５を覆うスラブ用防水シート２Ａと、パラペット１Ｂの立上下地面４を覆うパラペット用防水シート２Ｂとを、それらの端縁部どうしを重ねて下地金具３に電磁誘導加熱や接着材で接着固定してあり、パラペット用防水シート２Ｂの上端部（以下、シート上端部という）８を張出部６の下面近く、つまり、立上下地面４の上下方向中間位置に延設して、平面下地面５と立上下地面４とに亘って防水シート２Ａ，２Ｂで覆ってある。
【００１５】
そして、図２にも示すように、シート上端部８をその外面側から挟み込んで立上下地面４側に固定する固定金具９と、シート上端部８と立上下地面４との間を一連にシールするシール材１０と、シール材１０の暴露面１１を一連に被覆可能な非透光性を備えたカバー部材１２と、そのカバー部材１２を固定金具９に取付け可能な取付け部１３とを設けて、取付け部１３を介して固定金具９に取付けたカバー部材１２で、シール材１０の暴露面１１の全体をシール材長手方向に沿って一連に被覆してある。
【００１６】
前記固定金具９はアルミ合金の押し出し成形品で、シート上端部８を立上下地面４側に押し付ける帯板部１４と、シール材１０の受け止め用フランジ部１５とをパラペット長手方向に沿って一連に備え、更に、排水用兼空気導入用の孔２８やカバー板１９を嵌合させる爪２５を備え、ステンレス鋼製のビス１６でパラペット１Ｂに固定してある。
【００１７】
前記シール材１０は、シート上端部８と立上下地面４との間に挟み込んであるブチルゴム製のテープ状シール材１７と、テープ状シール材１７の上端を覆うように充填したシリコーンゴムなどのゴム弾性系シール材１８とを設けて構成してあり、ゴム弾性系シール材１８は、立上下地面４と受け止め用フランジ部１５とに亘って接着するように設けてある。
【００１８】
前記カバー部材１２は、帯板部１４よりも幅広のカバー板１９に、シート上端部８の上方側に沿って立上下地面４側に対して一連に接当可能な弾性部材２０を設けて構成してあり、カバー板１９はアルミ合金の押し出し成形品で、帯板部１４を上下両端を越えて全幅に亘って覆うように取り付けてあるが、アルミ合金以外のステンレス鋼板などの金属でカバー板１９を形成しても良い。
【００１９】
前記弾性部材２０は、ＥＰＤＭ，クロロプレンゴム，シリコーンゴム及びポリオレフィン系などの弾性ゴムなどで径方向に弾性変形自在に形成した円筒状の環状ガスケットあるいは発泡体ガスケットなどで構成してあり、カバー板１９の上端側に沿って着脱自在に嵌合する嵌合溝部２１を一体形成してカバー板１９に着脱可能に設け、このガスケット２０が径方向に弾性圧縮変形する弾性変形状態で、立上下地面４側、つまり、張出部６の下面側に一連に密着して接当するように、カバー部材１２を固定金具９に取り付けてある。
【００２０】
前記取付け部１３は、カバー部材１２と固定金具９とを外れ止め状態で嵌合可能な嵌合部２２を、固定金具９の帯板部１４に固定具側嵌合部２３を一体に押し出し成形するとともに、カバー部材１２のカバー板１９にカバー側嵌合部２４を一体に押し出し成形して構成してある。
【００２１】
前記固定具側嵌合部２３は、係止爪２５を一連に備えた上下一対の固定具側係止板２６を、上側の固定具側係止板２６の係止爪２５が上方に向き、下側の固定具側係止板２６の係止爪２５が下方に向くように平行に設けて構成してあり、カバー側嵌合部２４は、係止爪２５を一連に備えた上下一対のカバー側係止板２７を、上側のカバー側係止板２７の係止爪２５が下方に向き、下側のカバー側係止板２７の係止爪２５が上方に向くように平行に設けて構成してある。
【００２２】
そして、図３に示すように、パラペット１Ｂに固定してある固定金具９に向けてカバー部材１２を略水平な一方向から押し付る押し付け操作で、固定具側係止板２６の係止爪２５とカバー側係止板２７の係止爪２５とを互いに係合させることにより、カバー部材１２と固定金具９とを外れ止め状態で嵌合して、カバー部材１２を固定金具９に取り付けてある。
【００２３】
また、上下一対の固定具側係止板２６の各々に水抜き用と空気導入用の孔２８を設けてあり、強風を伴う降雨時に固定金具９とカバー板１９との間の空間と外気との等圧化を促進して雨水の浸入防止を図るとともに、カバー部材１２の内側の結露水やカバー部材１２の内側に侵入した雨水などを流下させて排出可能な複数の水抜き孔２８より排水し、雨水によるシール材１０の劣化を防止する。更に、カバー部材１２の内側の通気性を確保して、シール材１０の温度上昇による劣化も防止できるようにしてある。
【００２４】
〔第２実施形態〕
図４は、防水シート設置構造の別実施形態を示し、第１実施形態で示した環状ガスケット２０に代えて、弾性ゴムなどの弾性部材で弾性変形自在に形成した弾性板２０をカバー板１９の上端側に着脱自在に嵌合し、その弾性板２０の上端が張出部６の水切り溝７内に入り込んで弾性曲げ変形する弾性変形状態で、立上下地面４側、つまり、水切り溝７の内面側に一連に密着して接当するように、カバー部材１２を固定金具９に取り付けてある。  その他の構成は第１実施形態と同様である。
【００２５】
〔第３実施形態〕
図５は、防水シート設置構造の別実施形態を示し、第１実施形態で示したカバー板１９に環状ガスケット２０を設けてあるカバー部材１２に代えて、カバー板１９の上端に立上下地面４側に向けて傾斜する傾斜板２９を延設し、その傾斜板２９の上端部を立上下地面４側に一連に接当させてある。
その他の構成は第１実施形態と同様である。
【００２６】
〔その他の実施形態〕
１．本発明による防水シート設置構造は、カバー部材の全体をアルミ合金やステンレス鋼板などの金属で形成してあっても良い。
２．本発明による防水シート設置構造は、カバー部材をビスなどで固定具に取付け可能な取付け部を設けてあっても良い。
３．本発明による防水シート設置構造は、シール材の暴露面の一部をシール材長手方向に沿って一連に被覆可能なカバー部材を設けてあっても良い。
４．本発明による防水シート設置構造は、カバー部材を、シール材の上方側で立上下地面側に対して接当しないように固定具に取付けて、カバー部材内側の通気性を積極的に確保できるようにしてあっても良い。
【図面の簡単な説明】
【００２７】
【図１】防水シート設置構造を示す一部断面斜視図
【図２】要部の断面図
【図３】施工方法を示す斜視図
【図４】第２実施形態を示す要部の一部断面斜視図
【図５】第３実施形態を示す要部の一部断面斜視図
【符号の説明】
【００２８】
２Ａ  防水シート
２Ｂ  防水シート
４    立上下地面
５    平面下地面
８    上端部
９    固定具
１０  シール材
１１  暴露面
１２  カバー部材
１３  取付け部
２２  嵌合部
【図１】
2005061116.tif 000003
【図２】
2005061116.tif 000004
【図３】
2005061116.tif 000005
【図４】
2005061116.tif 000006
【図５】
2005061116.tif 000007